(57)【要約】【課題】  パチンコ機が有する使用感等の特性を損なうことなく、遊技盤面上に配設された構成物の取付け及び取外しを容易にできる遊技機を提供する。【解決手段】  遊技ユニット１１は、センター飾り３１、始動チャッカー１５、アタッカー１６、天釘３０及び命釘３９等の各種遊技部品が配設されると共に、遊技ユニット１１が有するネジ孔４１ａと、遊技盤７の開口部４０が有する支持部材４２のネジ孔４１ｂとを所定の取付けネジ４４によってネジ止めし、遊技ユニット１１が着脱自在となるように取付ける。【選択図】      図２
2006181095.tif 000002
【特許請求の範囲】
【請求項１】
所定の遊技系を形成する複数種の遊技部品が配設された遊技盤の遊技領域に対し、遊技球を打ち出すことで遊技を行なうように構成された遊技機において、
前記複数種の遊技部品として、少なくとも障害釘、入賞部材及び役物部材を有する遊技盤形成体と、
前記遊技領域を形成すべく前記遊技盤形成体を前記遊技領域の対応部分に着脱自在に取り付ける着脱手段と、を備えてなる、
ことを特徴とする遊技機。
【請求項２】
前記遊技盤形成体は、前記遊技領域に前記遊技球を誘導するガイドレールを備えてなる、
ことを特徴とする請求項１に記載の遊技機。
【請求項３】
前記ガイドレールは、前記遊技盤形成体に一体的に形成されてなる、
ことを特徴とする請求項２に記載の遊技機。
【発明の詳細な説明】
【技術分野】
【０００１】
本発明は、パチンコ機等の遊技機に関し、詳しくは、遊技機の交換や解体等の作業を効率的に行ない得るように改善した遊技機に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域に配設された障害釘や風車等の遊技部品に導かれつつ遊技領域を流下して、各種入賞口に入球し、或いは入球せずに遊技盤下部の球排出口（アウト口）に流入するように構成されたものが知られている（例えば、特許文献１参照）。
【０００３】
通常、このようなパチンコ機等の遊技機における遊技盤面は、木製の板部材上に上記障害釘や風車等の複数の遊技部品を夫々に組み付けて製造することにより、パチンコ機の解体時の分解作業を容易にし、再利用し易くするように考慮されている。
【０００４】
更に、パチンコ機における提案には、遊技盤を構成する各種構成部品及び多数の密に配列された障害釘に代わる板状部材を、１つ或いは複数の組立体の上に構成し、この組立体を遊技盤本体に取付ねじ等によって組み込むことにより、遊技盤の組立製造及びリサイクルが簡単で、労力を大幅に節約させるようにしたものがある（例えば、特許文献２参照）。
【０００５】
【特許文献１】特開２００３−２３６２１０号公報
【特許文献２】特開２００２−２１０１０５号公報
【発明の開示】
【発明が解決しようとする課題】
【０００６】
しかしながら、上記特許文献１に示した複数の遊技部品からなる従来のパチンコ機にあっては、遊技盤を木製の板部材とすることで各遊技部品の組付けや分解を行ない易くしていたが、遊技盤面を構成する部品点数が多いため、その組付けや分解を行なう労力は大きなものとなっている。また、上記特許文献２に示したパチンコ機にあっては、各種構成部品や板状部材を組立体としてまとめて遊技盤上に配設するものとなっているが、この組立体が複数に分かれている場合や、たとえ組立体が１つとされる場合であっても、該組立体上に配設する以外にも必要となる構成部品を別に遊技盤面上に配設しなくてはならないため、組付けや分解を大幅に効率化させるまでには至っていない。
【０００７】
また、上記特許文献２に示した組立体にあっては、この組立体上に密に配列される板状部材を一般的なパチンコ機における障害釘の代わりとして用いているが、仮にその形状を実物の釘に模して作製したとしても、その板状部材全体がひとつの部材からなるため、流下してくる遊技球が当接した際の衝撃の吸収度合や当接後に跳ね返る角度等の転動動作が、金属からなる実物の釘を用いた際の特有の動作と異なることは否めない。
【０００８】
そこで本発明は、パチンコ機が有する体感等の特性を損なうことなく、遊技盤面上に配設された構成物の取付け及び取外しを容易にできるように構成し、もって上述した課題を解決した遊技機を提供することを目的とするものである。
【課題を解決するための手段】
【０００９】
請求項１に係る本発明は（例えば図１ないし図４参照）、所定の遊技系を形成する複数種の遊技部品が配設された遊技盤（７）の遊技領域（７ａ）に対し、遊技球（Ｂａ）を打ち出すことで遊技を行なうように構成された遊技機（１）において、
前記複数種の遊技部品として、少なくとも障害釘（３０，３６，３９，４５）、入賞部材（１５，１６，３７）及び役物部材（３１，Ｓ）を有する遊技盤形成体（１１，５０）と、
前記遊技領域（７ａ）を形成すべく前記遊技盤形成体（１１，５０）を前記遊技領域（７ａ）の対応部分に着脱自在に取り付ける着脱手段（４４）と、を備えてなる、
ことを特徴とする遊技機（１）にある。
【００１０】
請求項２に係る本発明（例えば図４参照）は、前記遊技盤形成体（５０）が、前記遊技領域（７ａ）に前記遊技球（Ｂａ）を誘導するガイドレール（１０）を備えてなる、
ことを特徴とする請求項１に記載の遊技機（１）にある。
【００１１】
請求項３に係る本発明（例えば図４参照）は、前記ガイドレール（１０）が、前記遊技盤形成体（５０）に一体的に形成されてなる、
ことを特徴とする請求項２に記載の遊技機（１）にある。
【００１２】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１３】
請求項１に係る本発明によると、複数種の遊技部品として、少なくとも障害釘、入賞部材及び役物部材を有する遊技盤形成体と、遊技領域を形成すべく遊技盤形成体を前記遊技領域の対応部分に着脱自在に取り付ける着脱手段と、を備えてなるので、遊技盤内の遊技領域を形成し、かつ遊技盤と着脱自在の遊技盤形成体に対して、複数の遊技部品の配設を行なうことができるようになる。この遊技盤形成体は、遊技機或いは遊技盤に比して大きさが小さいため、その取り扱いが容易であり、遊技部品の取付け或いは取外し作業を簡便に行なわせることができる。
【００１４】
また、新台入れ替え等に起因してパチンコ機等の遊技機の機種変更を行なうような場合には、上記遊技盤形成体のみを交換すれば足り、遊技機本体や遊技盤を移動させて交換する場合に比して移動に要する労力を軽減し、移動作業を効率的に行なうことができるようになる。また、上記移動作業時のみならず、交換の際の着脱作業も容易となるため、作業時間の短縮を図ることができるようになる。
【００１５】
また、上記遊技盤形成体上に配設される複数種の遊技部品には、一般的なパチンコ機等の遊技機に使われる遊技部品と同様のものが用いられるため、遊技球がこれら各種遊技部品と接触或いは当接した際の動作に違和感等が感じられず、一般的な遊技機に共通した使用感或いは体感等の特性を損なわせずに、遊技機から遊技盤形成体の取付け及び取外しを簡便に行なわせることができるようになる。
【００１６】
請求項２に係る本発明によると、遊技盤形成体は、遊技領域に遊技球を誘導するガイドレールを備えてなるので、遊技盤内の遊技領域の略すべての面積を有し、かつ遊技盤と着脱自在の遊技盤形成体に対して、複数の遊技部品及びガイドレールの配設を行なうことができるようになる。この遊技盤形成体は、遊技機或いは遊技盤に比して大きさが小さいため、その取り扱いが容易であり、遊技部品の取付け或いは取外し作業を簡便に行なわせることができる。
【００１７】
また、新台入れ替え等に起因してパチンコ機等の遊技機の機種変更を行なうような場合には、上記遊技盤形成体のみを交換すれば足り、遊技機本体や遊技盤を移動させて交換する場合に比して移動に要する労力を軽減し、移動作業を効率的に行なうことができるようになる。また、上記移動作業時のみならず、交換の際の着脱作業も容易となるため、作業時間の短縮を図ることができるようになる。
【００１８】
また、上記遊技盤形成体上に配設される複数種の遊技部品及びガイドレールには、一般的なパチンコ機等の遊技機に使われるものと同様のものが用いられるため、遊技球がこれらと接触或いは当接した際の動作に違和感等が感じられず、一般的な遊技機に共通した使用感或いは体感等の特性を損なわせずに、遊技機から形成体の取付け及び取外しを簡便に行なわせることができるようになる。
【００１９】
請求項３に係る本発明によると、ガイドレールは、遊技盤形成体に一体的に形成されてなるので、遊技盤形成体上に配設する遊技部品の部品点数を減らすことができると共に、製造ライン上での組付け工程も削減し得、作業者の労力を軽減することができる。また、新台入れ替え等に起因してパチンコ機等の遊技機の機種変更を行なうような場合には、上記遊技盤形成体のみを交換すれば足り、遊技機本体や遊技盤そのものを交換する場合に比して移動、組付け及び解体等の作業に要する労力を軽減し、各種作業の効率化を図ることができるようになる。
【発明を実施するための最良の形態】
【００２０】
＜第１の実施の形態＞
以下、本発明に係る遊技機の第１の実施の形態として、遊技場等に設置されるパチンコ機を図１ないし図３に沿って説明する。
【００２１】
なお、図１は本実施の形態におけるパチンコ機の外部構造を示す正面図、図２は遊技ユニットが装着された状態の遊技盤を単体で示す正面図、図３は遊技ユニットが装着されていない状態の遊技盤を単体で示す正面図である。
【００２２】
本パチンコ機（遊技機）１は、発射ハンドル９の操作による発射装置（図示せず）の作動で遊技球（いわゆるパチンコ玉）を遊技領域７ａに打ち出しつつ遊技を行うもので、いわゆる確率変動等の大当たりが発生した状態でアタッカー（遊技部品）１６（図２参照）に入球した遊技球に対応する数の遊技球を払い出すように構成されている。上記確率変動（確変当たり）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２３】
図１に示すように、本パチンコ機１は、筐体２と、筐体２に開閉可能に装着された前扉３とを有しており、前扉３の前面には、透明ガラス６を有するガラス枠５が開閉可能に取付けられている。透明ガラス６の奥側には、遊技領域７ａを有する遊技盤７が配置されている。前扉３における遊技領域７ａの上部及び下部左右には演出用照明装置２３が配置されており、前扉３における上部左右及び下部には夫々、スピーカ（図示せず）を有する放音装置８が配置されている。また、ガラス枠５における中央部右方には、前扉３を筐体２側に施錠又は解放するための施錠装置４が配置されている。なお、上記筐体２及び前扉３等から遊技機本体が構成されている。
【００２４】
前扉３における下部中央には皿ユニット１３が設けられており、皿ユニット１３における右上部には、賞球及び貸球を含む遊技球が供給される球供給口１８が設けられ、皿ユニット１３における左上部壁面には、球貸ボタン１４ａ及びプリペイドカード返却ボタン１４ｂが設けられている。皿ユニット１３の中央部には、該皿ユニット１３上の遊技球を発射装置付近から皿ユニット下部の球排出口（図示せず）を通して下方に排出するための第１球抜きボタン２２ａと、皿ユニット１３上の遊技球を球供給口１８付近から上記球排出口を通して下方に排出するための第２球抜きボタン２２ｂとが配置されている。
【００２５】
また、前扉３における皿ユニット１３の右側下方には、上記球発射装置を操作して遊技球を遊技領域７ａに向けて打ち出すための発射ハンドル９が設けられている。更に、皿ユニット１３の下部左方には、灰皿２４が配置されている。
【００２６】
次に、図２及び図３を参照して、遊技盤７の構成を詳しく説明する。すなわち、図２に示すように、センター飾り（遊技部品）３１を有する遊技ユニット（遊技盤形成体）１１が、全体として略円形形状の遊技盤７に取付けネジにより設置されている。この遊技ユニット１１は、略楕円形状の合成樹脂からなり、一般的なセンター飾りよりもやや大き目の外観を呈した状態で遊技盤７に対して同心円状に設置されている。なお、図２中の符号１０は、発射ハンドル９の操作で発射された遊技球を遊技領域７ａに誘導するガイドレール（遊技部品）である。また、図２における符号２８は、パチンコ機１を装飾するための装飾部材等が設けられる装飾部材装着部である。
【００２７】
この遊技ユニット１１内の上部には天釘（遊技部品）３０が植設されており、この天釘３０の直下方にセンター飾り３１が位置し、センター飾り３１の左右には複数の障害釘とスルーゲート３２とが配設されている。センター飾り３１内の上部には、メーカー名や機種等を示すためのフィギュアやロゴマーク３４が設置される。そして、センター飾り３１の上部左右には、遊技球をセンター飾り３１内に取り込むためのワープ入球口３３が設けられる。
【００２８】
また、センター飾り３１の中央部に形成された矩形状の開口部３５には、遊技盤７の裏面に配置された液晶表示装置（図柄表示装置）１２が露出し、その直下方近傍には波型に成型された遊技球ステージＳが設けられている。更に、この遊技球ステージＳの中央下方には、命釘（遊技部品）３９と始動チャッカー（遊技部品）１５とが順に設けられ、ワープ入球口３３から落下孔３３ａ，３３ｂ及び落下通路（不図示）を経由して遊技球ステージＳに落下したうちの幾つかの遊技球Ｂａが導入される。また、この始動チャッカー１５の左右近傍には道釘（遊技部品）４５やジャンプ釘（遊技部品）３６等の障害釘が植設され、始動チャッカー１５の下方には、アタッカー１６が設けられている。
【００２９】
なお、遊技ユニット１１には、上記した遊技部品以外にも、一般入球口（遊技部品）３７、風車（遊技部品）３８及び多数の障害釘等が設けられている。これらの障害釘や、上述した天釘３０、道釘４５、ジャンプ釘３６などは全て、一般的なパチンコ機に使用される金属製のものである。また、上記「ワープ」という語句は、遊技領域７ａに打ち出された遊技球を、遊技球ステージＳの比較的下側にて始動チャッカー１５の左右方向に延在する多数の障害釘（例えば道釘４５）等を経ることなく、始動チャッカー１５の上に導くことを意味する概念である。
【００３０】
そして、図３に示すように、遊技ユニット１１が遊技盤７から取り外された状態にあって、遊技盤７の中央部には、遊技ユニット１１と同形状かつ同サイズに表裏貫通して形成された開口部４０が現れる。この開口部４０の中央部には液晶表示装置１２が設置され、その下方には始動チャッカー１５、アタッカー１６、或いは一般入球口３７から入球する遊技球Ｂａを夫々受ける排出口１５ａ，１６ａ，３７ａが設けられている。そして、これら排出口１５ａ，１６ａ，３７ａから続く案内路内には、遊技球Ｂａの入球を検知したり、確率変動当たりを確定させたりする等の処理を行なわせる不図示の通過センサが設けられており、遊技球Ｂａの入球を検知した際に、夫々賞球の払い出し等の所定の動作を実行させる。更に、上記した開口部４０の上部２箇所及び下部２箇所には、遊技盤７の裏面から固着され、かつ遊技ユニット１１をネジ止めするためのネジ孔４１ｂが形成された支持部材４２が夫々配設されている。
【００３１】
一方、開口部４０の四方の外縁部には夫々、遊技ユニット１１が開口部４０に嵌め込まれた際に、遊技ユニット１１の面が開口部４０の奥側方向に向かって落ち込まないように嵌合位置を規制する規制部材４３が固着されている。なお、上記した支持部材４２及びこれら規制部材４３は、遊技ユニット１１が嵌合された際の遊技ユニット１１の表面の高さが、遊技盤７の表面と同じ高さ（水平）となるように、遊技ユニット１１の厚みの分だけ遊技盤７の奥側に下がった位置に夫々固着されている。
【００３２】
ついで、本パチンコ機１による作用について説明する。すなわち、本パチンコ機１に対して着座した遊技者が発射ハンドル９を握り、適宜の角度に回動操作すると、不図示の発射装置の作動によって遊技球が所定の間隔で遊技領域７ａに向けて連続的に発射される。すると、遊技領域７ａに放出された多数の遊技球は、ワープ入球口３３から遊技球ステージＳを介して又は直接的に始動チャッカー１５に入賞し、或いは、不図示の他の一般入賞口に入賞することとなる。また、これらのいずれにも入賞し得なかった遊技球は、遊技領域７ａの最下部に位置する球排出口１７から遊技盤７背面側に排出される。
【００３３】
上述のように始動チャッカー１５に入球した際には、これに基づいて大当たり抽選が行われると共に所定数の遊技球が払い出され、当該抽選の結果に応じて、液晶表示装置１２上で所定の演出表示が行われる。そして、大当たりの発生時には、アタッカー１６が開放と閉止とを繰り返すことで遊技球が入球し、この入球に応じた多量の遊技球が払い出される状態となる。
【００３４】
以上のようなパチンコ機１の新規製造或いは機種変更を行なうような場合には、機種毎の規格により決められる組合せ（１つの機種を形成する、つまり１つの遊技系を形成するために必要とする組合せ）となる釘や役物等の各種遊技部品が既に配設された新規の遊技ユニット１１を、遊技盤７の開口部４０に取付けることとなる。
【００３５】
この遊技ユニット１１の取付けに際しては、遊技盤７の裏面に設置された液晶表示装置１２の画面位置と遊技ユニット１１の開口部３５とが合致し、更に始動チャッカー１５等の入賞口とそれらに対応する連通孔１５ａ等とが合致するように、遊技ユニット１１を開口部４０に嵌合する。そして、開口部４０の４箇所に設けられた支持部材４２が有するネジ孔４１ｂと、遊技ユニット１１が有するネジ孔４１ａとを重ね合わせ、所定の取付けネジ（着脱手段）４４を用いて遊技ユニット１１をネジ止めする。このように、遊技ユニット１１を遊技盤７に対してネジ止めするのみの作業で、定位置に容易かつ確実に取付けることができる。
【００３６】
また、この遊技ユニット１１の取外しに際しては、遊技盤７と遊技ユニット１１とがネジ止めされていた４箇所のネジを取り外し、遊技ユニット１１を遊技盤７の表面側（図２における手前方向）に押し出すことにより、遊技盤７から遊技ユニット１１を離脱させることができる。このようにして遊技ユニット１１を取外した後には、新たな遊技ユニット１１の取り付けを行ない、機種変更を行なうことができる。また、遊技ユニット１１を遊技盤７から完全に取り外した状態においては各種遊技部品の取付け或いは取外し等の作業を行なうことができるため、遊技ユニット１１の解体又は分解作業を効率的に行なうことができる。
【００３７】
以上説明した第１の実施の形態によると、遊技ユニット１１は、センター飾り３１や始動チャッカー１５等を始めとする各種遊技部品が配設されると共に、遊技盤７と着脱自在となるように形成されるので、パチンコ機１や遊技盤７に比して小さな遊技ユニット１１に対し、各種遊技部品の取付け或いは取外し作業を行なうことができるようになる。これにより、取り扱いが容易となり、各作業を簡便に行なうことができるようになる。
【００３８】
また、遊技ユニット１１は、センター飾り３１や始動チャッカー１５等を始めとする各種遊技部品が配設されると共に、遊技盤７と着脱自在となるように形成されるので、新台入れ替え等に起因してパチンコ機１の機種変更を行なうような場合には、遊技ユニット１１のみを交換すれば足り、パチンコ機１本体や遊技盤７を移動させて交換する場合に比して移動に要する労力を軽減し、移動作業を効率的に行なうことができるようになる。また、上記移動作業時のみならず、交換の際の着脱作業も容易となるため、作業時間の短縮を図ることができるようになる。
【００３９】
また、遊技ユニット１１上に配設される天釘３０等の各種遊技部品には、一般的なパチンコ機１に使われる部品と同様のものが用いられるので、遊技球Ｂａがこれら各種遊技部品と接触或いは当接した際の動作に違和感等が生じず、一般的なパチンコ機に共通した使用感或いは体感等の特性を損なわせずに、パチンコ機１から遊技ユニット１１の取付け及び取外しを簡便に行なうことができるようになる。
【００４０】
＜第２の実施の形態＞
次に、本発明の第２の実施の形態に係る遊技機を図４を用いて説明する。図４は、第２の実施の形態における遊技ユニットが装着された状態の遊技盤を単体で示す正面図である。なお、第２の実施の形態に係る遊技機は、上記第１の実施の形態に示した遊技機１と略同様の構成であって、図１ないし図３と同一の符号は同一又は相当部分を示し、その説明を省略する。
【００４１】
図４に示す遊技盤７を用いて形成される遊技機は、図１ないし図３にて示した遊技機１と略同一の構成をとり、その遊技方法についても同様なものとなるが、以下の点において異なる。すなわち、図４に示す遊技ユニット（形成体）５０には、図１ないし図３にて示した遊技ユニット１１が有する各種遊技部品に加え、更にガイドレール１０及び球排出口１７が設けられている。
【００４２】
この遊技ユニット５０が有するガイドレール１０は、発射装置から打ち出される際の遊技球を遊技領域７ａに誘導すると共に、発射装置から打ち出された後に遊技領域７ａ内を落下してくる遊技球を受け止めるための壁部材としての役割も有する。そして、このガイドレール１０は、遊技ユニット５０上に配設される各種遊技部品を下方側から半円形の曲線形状で囲むように形成されている。
【００４３】
球排出口１７は、遊技ユニット５０上に配設された何れの入賞口にも入賞せずに落下してきた遊技球を、遊技領域７ａから排出するために遊技ユニット５０の下部中央で且つガイドレール１０と重なるように設けられる排出孔である。この球排出口１７は、遊技ユニット５０の面に開けられた貫通孔であり、遊技球がこの球排出口１７を通過することで遊技領域７ａの裏面に設けられた連通孔（図示せず）へと排出される。このように、遊技ユニット５０は、これらガイドレール１０及び球排出口１７が設けられることにより、一般的なパチンコ機の遊技領域７ａに配設される遊技部材のすべてが載置されることとなる。
【００４４】
上述した本遊技ユニット５０が取付けられたパチンコ機においては、第１の実施の形態と略同様の作用を生ずる。但し、遊技ユニット５０の取付け時に際しては、球排出口１７とそれに対応する開口部４０に設けられた連通孔とをよく合致させて嵌合させることにより、排出の際に遊技球が球詰まりを生じないようにする必要がある。
【００４５】
以上説明した第２の実施の形態によると、遊技ユニット５０は、ガイドレール１０や球排出口１７等の各種遊技部品が配設されると共に、遊技盤７と着脱自在となるように形成されるので、遊技盤７に比して小さな遊技ユニット５０に対し、各種遊技部品の取付け或いは取外し作業を行なうことができるようになる。これにより、その取り扱いはより容易となり、各作業の一層の簡便化を図ることができる。
【００４６】
また、遊技ユニット５０は、ガイドレール１０や球排出口１７等の各種遊技部品が配設されると共に、遊技盤７と着脱自在となるように形成されるので、新台入れ替え等のパチンコ機の機種変更を行なうような場合には、遊技ユニット５０のみを交換すれば足り、パチンコ機本体や遊技盤７を移動させて交換する場合に比して移動に要する労力を軽減し、移動作業を効率的に行なうことができるようになる。また、上記移動作業時のみならず、交換の際の着脱作業も容易になるため、作業時間の短縮を図ることができる。
【００４７】
また、遊技ユニット５０上に配設されるガイドレール１０等の各種遊技部品には、一般的なパチンコ機に使われる部品と同様のものが用いられるので、遊技球がこれら各種遊技部品と接触或いは当接した際の動作に違和感等が生じず、一般的なパチンコ機に共通した使用感或いは体感等の特性を損なわせずに、パチンコ機と遊技ユニット５０との取付け及び取外しを簡便に行なうことができるようになる。
【００４８】
なお、本実施形態におけるガイドレール１０は、一般的なパチンコ機で使用される金属製のものを用い、遊技ユニット５０上に配設するとして説明を行なったが、遊技ユニット５０を合成樹脂等で形成する際に一体成型するようにしてもよい。これにより、遊技ユニット５０上に配設する遊技部品の部品点数を減らすこととなり、製造する際の労力を軽減することができるようになる。よって、新台入れ替え等に起因してパチンコ機１の機種変更を行なうような場合には、この遊技ユニット５０のみを交換すれば足り、パチンコ機１本体や遊技盤７そのものを交換する場合に比して移動、組付け及び解体等の作業に要する労力を軽減し、各種作業の効率化を図ることができるようになる。
【００４９】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００５０】
【図１】本実施の形態におけるパチンコ機の外部構造を示す正面図である。
【図２】遊技ユニットが装着された状態の遊技盤を単体で示す正面図である。
【図３】遊技ユニットが装着されていない状態の遊技盤を単体で示す正面図である。
【図４】遊技ユニットが装着された状態の遊技盤の他の例を示す正面図である。
【符号の説明】
【００５１】
１…パチンコ機（遊技機）
７…遊技盤
７ａ…遊技領域
１０…ガイドレール（遊技部品）
１１…遊技ユニット（遊技盤形成体）
１５…始動チャッカー（遊技部品）
１６…アタッカー（遊技部品）
３０…天釘（遊技部品）
３１…センター飾り（遊技部品）
３６…ジャンプ釘（遊技部品）
３７…一般入球口（遊技部品）
３８…風車（遊技部品）
３９…命釘（遊技部品）
４５…道釘（遊技部品）
５０…遊技ユニット（遊技盤形成体）
Ｂａ…遊技球
【図１】
2006181095.tif 000003
【図２】
2006181095.tif 000004
【図３】
2006181095.tif 000005
【図４】
2006181095.tif 000006